(57)【要約】【課題】台所の照明を補完するとともに、インテリア性が高く、ランプ交換が容易なレンジフードを提供することを目的とする。【解決手段】油煙を捕集するフード部１と、フード部１の上方に配置され、フード部１が捕集した油煙を排気する送風機２を内包する排気部３とで構成され、フード部１に下向きに光を照らす下向き照明装置８と上向きに光を照らす上向き照明装置９を備えた構成とすることにより、台所の照明を補完し、インテリア性の高いレンジフードのデザインを際立たせることができ、ランプ交換が容易なレンジフードを提供できる。【選択図】  図１
2005061768.tif 000002
【特許請求の範囲】
【請求項１】
油煙を捕集するフード部と、このフード部の上方に配置され、前記フード部が捕集した油煙を排気する送風機を内包する排気部とで構成され、前記フード部に下向きに光を照らす下向き照明装置と上向きに光を照らす上向き照明装置とを備えたレンジフード。
【請求項２】
下向き照明装置と上向き照明装置のランプ交換用開口が共に前記フード部の下側に設けられている請求項１記載のレンジフード。
【請求項３】
下向き照明装置と上向き照明装置が近接して設けられ、それぞれのランプ交換用開口がフード部の下側でひとつの部材で覆われている請求項１または２記載のレンジフード。
【発明の詳細な説明】
【技術分野】
【０００１】
本発明は、フード部に照明装置を備えたレンジフードに関する。
【背景技術】
【０００２】
従来、この種のレンジフードは、調理時の手元を照らすために下方向に照射するランプを配置したものが知られている（例えば、特許文献１参照）。
【０００３】
以下、そのレンジフードについて図８および図９を参照しながら説明する。
【０００４】
図に示すように、一般に調理中の手元を明るくするために、前面と下面を開口した箱型のレンジフード本体１０１の内部に前方から吸い込み上方に排出する送風機１０２を内蔵し、送風機１０２の前方には吸気口１０３を有したパネル１０４およびフィルター１０５を設け、下面より吸い込んだ油煙を、前記フィルター１０５側に案内するフロントフード１０６を設けている。そして、本体１０１の下面部に調理時に手元を照らすためのランプ１０７がガラス１０８もしくはスリットを設けたランプカバー１０９を介した照明装置１１０を内包している構成としていた。
【特許文献１】実開平０５−７９３３８号公報
【発明の開示】
【発明が解決しようとする課題】
【０００５】
このような従来のレンジフードでは、下向きの照明装置１１０しか備えておらず、手元のみが明るいため、台所全体の照明を補完することができず、また、インテリア性の高いデザインのレンジフードの場合、台所に設置された照明だけではデザインを際立たせることができないという課題があった。
【０００６】
本発明は、このような従来の課題を解決するものであり、台所の照明を補完し、インテリア性の高いレンジフードのデザインを際立たせることができ、ランプ交換が容易なレンジフードを提供することを目的としている。
【課題を解決するための手段】
【０００７】
本発明のレンジフードは上記目的を達成するために、油煙を捕集するフード部と、このフード部の上方に配置され、前記フード部が捕集した油煙を排気する送風機を内包する排気部とで構成され、前記フード部に下向きに光を照らす下向き照明装置と上向きに光を照らす上向き照明装置とを備えたものである。
【０００８】
また、下向き照明装置と上向き照明装置のランプ交換用開口が共に前記フード部の下側に設けられているものである。
【０００９】
また、下向き照明装置と上向き照明装置が近接して設けられ、それぞれのランプ交換用開口がフード部の下側でひとつの部材で覆われているものである。
【００１０】
本発明によれば、台所の照明を補完し、インテリア性の高いレンジフードのデザインを際立たせることができ、ランプ交換が容易なレンジフードが得られる。
【発明の効果】
【００１１】
本発明によれば、施工性、インテリア性が優れたレンジフードを提供することができる。
【発明を実施するための最良の形態】
【００１２】
本発明の請求項１記載の発明は、油煙を捕集するフード部と、このフード部の上方に配置され、前記フード部が捕集した油煙を排気する送風機を内包する排気部とで構成され、前記フード部に下向きに光を照らす下向き照明装置と上向きに光を照らす上向き照明装置とを備えたレンジフードであり、上向き照明装置によって上向きに照らされた光が天井などに反射されて台所を間接的に照らすことができ、また排気部を覆う幕板に光が当たり、インテリア性を際立たせることができるという作用を有する。
【００１３】
また、請求項２記載の発明は、請求項１記載のレンジフードに、下向き照明装置と上向き照明装置のランプ交換用開口が共に前記フード部の下側に設けられているものであり、フード部の下側からランプを交換することができ、ランプ交換が容易になるという作用を有する。
【００１４】
また、請求項３記載の発明は、請求項１または２記載のレンジフードに、下向き照明装置と上向き照明装置が近接して設けられ、それぞれのランプ交換用開口がフード部の下側でひとつの部材で覆われているものであり、下側から一つの部材を取り外すことで下向き照明装置と上向き照明装置の両方のランプ交換ができるためランプ交換が容易になり、また一つの部材で覆われているため継ぎ目を減少することができ、デザイン性を向上することができるという作用を有する。
【００１５】
以下、本発明の実施の形態について図面を参照しながら説明する。
【００１６】
（実施の形態１）
図１および図２に示すように、本発明のレンジフードは、油煙を捕集するため平面積の広いフード部１と、フード部１より平面積が小さく、フード部１の上方に配置され、フード部１が捕集した油煙を排気する送風機２を内包する排気部３とで構成され、排気部３と排気ダクト４はインテリア性向上のために前面と側面を幕板５で覆われている。
【００１７】
フード部１によって集められた油煙は、送風機２の作用により吸込口６より排気部３に吸い込まれ、送風機２、排気ダクト４を通じ、室外に排出される。また吸込口６には油を捕集するためのフィルター、もしくは手指が送風機２に触れないようにするガードが設置されている。また吸込口６から排気ダクト４にかけての送風系統内に付着した油は油溜まり７に流れ込み、収集される。また、フード部１には調理中の手元を明るくするために下向きに光を照らす下向き照明装置８と、上向きに光を照らす上向き照明装置９がそれぞれ両側に設置されている構成にされている。
【００１８】
上記構成により、上向き照明装置９によって上向きに照らされた光が天井などに反射されて台所を間接的に照らすことができ、また排気部３を覆う幕板５に光が当たり、インテリア性を際立たせることができる。
【００１９】
（実施の形態２）
図３〜図５に示すように、下向き照明装置８と上向き照明装置９のランプ交換用開口１０が共にフード部１の下側に設置されている構成である。
【００２０】
図４に示すように、下向き照明装置８のランプ交換用開口１０は光を通過させるためにガラス１１を備える下向き用カバー１２によって覆われている。下向き用カバー１２は一方にフード部１の下面に引っ掛かるフックを備え、他方にはネジ用の穴を備えており、ネジによってフード部１の下面に固定される。ランプ交換時には下向き用カバー１２のネジを外し、下向き用カバー１２を取り外し、直接ランプ１３を取り外してランプ１３を交換することができる。
【００２１】
また、図５に示すように、上向き照明装置９のランプ１３はランプホルダー１４に取り付けられており、ランプホルダー１４はランプ１３の外周を覆う上向き照明ケース１５に下側から固定されている。フード部１の下側にあるランプ交換用開口１０は上向き用カバー１６によって覆われている。上向き用カバー１６は一方にフード部１の下面に引っ掛かるフックを備え、他方にはネジ用の穴を備えており、ネジによってフード部１の下面に固定される。ランプ１３の交換時は、上向き用カバー１６のネジを外し、上向き用カバー１６を取り外した後、ランプ交換用開口１０からランプホルダー１４のネジをはずしてランプホルダー１４を取り外し、ランプ１３を交換することができる。
【００２２】
上記構成により、下向き照明装置８と上向き照明装置９共にフード部１の下側からランプ１３の交換の作業を行うことができ、交換作業を容易に行うことができる。
【００２３】
（実施の形態３）
図６および図７に示すように、下向き照明装置８と上向き照明装置９それぞれのランプ交換用開口１０が、フード部１の下側でひとつのランプカバー１７で覆われている構成にされている。
【００２４】
下向き照明装置８と上向き照明装置９は近接して設置されており、ランプカバー１７は下向き照明装置８からの光を通過させるためのガラス１１を備え、かつ上向き照明装置９のランプ交換用開口１０を覆うのに十分な大きさを備えている。
【００２５】
ランプカバー１７は一方にフード部１の下面に引っ掛かるフックを備え、他方にはネジ用の穴を備えており、ネジによってフード部１の下面に固定される。またランプホルダー１４は上向き照明カバー１８に取り付けられており、上向き照明カバー１８は一方にフード部１の下面に引っ掛かるフックを備え、他方にはネジ用の穴を備えており、ネジによって下向き照明装置８の照明ケース１５に固定される。
【００２６】
ランプ１３の交換時は、ランプカバー１７のネジを外してランプカバー１７を取り外す。下向き照明装置８のランプ１３を交換する場合は直接ランプ１３を取り外すことができ、上向き照明装置９のランプ１３を交換する場合は、上向き照明カバー１８のネジを取り外し、上向き照明カバー１８を取り外し、ランプ１３を交換することができる。
【００２７】
上記構成により、それぞれの照明装置８、９が近接しているため、下側から一つのランプカバー１７を取り外すことで下向き照明装置８と上向き照明装置９両方のランプ１３の交換作業ができるためランプ交換作業が容易になり、また一つのランプカバーで覆われているため継ぎ目を減少することができ、デザイン性を向上することができる。
【００２８】
なお、上向き照明カバー１８を上向き照明装置９のランプ交換用開口１０を全て覆う大きさにすると、上向き照明カバー１８が下向き照明装置８と上向き照明装置９の互いの光漏れを防ぐことができ、またランプ交換時に上向き照明装置９のリード線１９に触れることを防ぐことができるため、なお良い。
【産業上の利用可能性】
【００２９】
本発明のレンジフードは、優れた施工性、インテリア性を有し、フード部に照明装置を備えたレンジフード等の用途として有用である。
【図面の簡単な説明】
【００３０】
【図１】本発明の実施の形態１のレンジフードを示す斜視図
【図２】同レンジフードの上向き照明装置を示す斜視図
【図３】本発明の実施の形態２のレンジフードを示す斜視図
【図４】同レンジフードの下向き照明装置を示す略断面図
【図５】同レンジフードの上向き照明装置を示す略断面図
【図６】本発明の実施の形態３のレンジフードを示す斜視図
【図７】同レンジフードの照明装置を示す略断面図
【図８】従来のレンジフードを示す斜視図
【図９】同レンジフードの照明装置を示す略断面図
【符号の説明】
【００３１】
１      フード部
２      送風機
３      排気部
４      排気ダクト
５      幕板
６      吸込口
７      油溜まり
８      下向き照明装置
９      上向き照明装置
１０    ランプ交換用開口
１１    ガラス
１２    下向き用カバー
１３    ランプ
１４    ランプホルダー
１５    照明ケース
１６    上向き用カバー
１７    ランプカバー
１８    上向き照明カバー
１９    リード線
【図１】
2005061768.tif 000003
【図２】
2005061768.tif 000004
【図３】
2005061768.tif 000005
【図４】
2005061768.tif 000006
【図５】
2005061768.tif 000007
【図６】
2005061768.tif 000008
【図７】
2005061768.tif 000009
【図８】
2005061768.tif 000010
【図９】
2005061768.tif 000011